(57)【要約】【課題】テープをテープリールに巻き取る際の巻き乱れを防止する。【解決手段】本発明に係るテープ巻取方法は、テープリール９の近傍で、テープ１２の幅方向の変動を測定する測定ステップと、前記測定ステップにおける測定結果が所定値を超えているかどうかを判断する判断ステップと、前記判断ステップにおいて、前記測定結果が前記所定値を超えていると判断された場合に、前記テープ１２の巻き取りを中止して、前記テープ１２を送出方向に所定距離送り出すテープ送出ステップと、送出方向に前記所定距離送り出された前記テープ１２を、前記テープリール９に再び巻き取るテープ巻取ステップとを含む。【選択図】      図  ２
2004342178.tif 000002
【特許請求の範囲】
【請求項１】
テープドライブからテープカートリッジを排出する際に、前記テープカートリッジのテープリールにテープを巻き取る方法であって、
前記テープリールの近傍で、前記テープリールに巻き取られる前記テープの幅方向の変動を測定する測定ステップと、
前記測定ステップにおいて、測定結果が所定値を超えているかどうかを判断する判断ステップと、
前記判断ステップで、前記測定結果が前記所定値を超えていると判断された場合に、前記テープの巻き取りを中止して、前記テープを送出方向に所定距離送り出すテープ送出ステップと、
送出方向に前記所定距離送り出された前記テープを、前記テープリールに再び巻き取るテープ巻取ステップと、
を含むことを特徴とするテープ巻取方法。
【請求項２】
前記テープ巻取ステップでは、前記テープの巻取速度を、前記テープの巻き取りを中止する前の速度よりも遅くすることを特徴とする請求項１に記載のテープ巻取方法。
【請求項３】
テープカートリッジのテープリールに巻回されているテープを巻き取る装置リールを備えたテープドライブであって、
前記テープリールをテープ送出方向又はテープ巻取方向に回転駆動させるテープリール駆動装置と、
前記装置リールをテープ送出方向又はテープ巻取方向に回転駆動させる装置リール駆動装置と、
前記テープリール駆動装置及び前記装置リール駆動装置の動作を制御する制御部と、
前記テープリールの近傍で、前記テープの幅方向の変動を測定するセンサと、
前記センサの測定結果が所定値を超えているかどうかを判断し、前記測定結果が前記所定値を超えていると判断した場合に、前記制御部に対して、前記テープの巻き取りを中止して、前記テープを送出方向に所定距離送り出した後、前記テープを前記テープリールに再び巻き取るように命令する判断部と、
を備えたことを特徴とするテープドライブ。
【発明の詳細な説明】
【０００１】
【発明の属する技術分野】
本発明は、テープの巻取方法及びテープドライブに関する。
【０００２】
【従来の技術】
テープドライブ内において、テープカートリッジからテープが引き出されて、テープの記録再生が行われる。そして、テープカートリッジをテープドライブから排出する際に、送出されたテープの巻き戻しが行われる。（特許文献１）
【０００３】
【特許文献】
米国特許第６０３４８３９号明細書
【０００４】
【発明が解決しようとする課題】
ところが、テープの巻取時にテープの巻き乱れが生じると、輸送時や落下時に飛び出した部分がテープ折れやしわ等の永久変形を受けることが多く、データの読み出し不良等の問題が発生する。
【０００５】
そこで、本発明は、テープをテープリールに巻き取る際に、巻き乱れが生じないテープの巻取方法及びテープドライブの提供を目的とする。
【０００６】
【課題を解決するための手段】
請求項１に記載されたテープ巻取方法は、テープドライブからテープカートリッジを排出する際に、前記テープカートリッジのテープリールにテープを巻き取る方法であって、前記テープリールの近傍で、前記磁気テープに巻き取られる前記テープの幅方向の変動を測定する測定ステップと、前記測定ステップにおいて、測定結果が所定値を超えているかどうかを判断する判断ステップと、前記判断ステップで、前記測定結果が前記所定値を超えていると判断された場合に、前記テープの巻き取りを中止して、前記テープを送出方向に所定距離送り出すテープ送出ステップと、送出方向に前記所定距離送り出された前記テープを、前記テープリールに再び巻き取るテープ巻取ステップとを含むことを特徴とする。
【０００７】
請求項１に記載されたテープ巻取方法によれば、テープドライブからテープカートリッジを排出する際のテープのテープリールへの巻き取りにおいて、テープの幅方向の変動を測定し、この測定結果が所定値を超えている場合には、テープのテープリールへの巻き取りを中止し、テープを送出方向に所定距離送り出し、再びテープリールに巻き取ることにより、テープの巻き乱れを防止することができる。
【０００８】
また、このテープをテープリールに再び巻き取る際には、前記テープの巻取速度を前記テープの巻き取りを中止する前の速度よりも遅くすることが好ましい（請求項２）。これは、テープの巻取速度を遅くすれば、テープの巻き乱れが発生する可能性が少なくなることから、テープの巻き乱れを防止することにより好適となるからである。
【０００９】
請求項３に記載されたテープドライブは、テープカートリッジのテープリールに巻回されているテープを巻き取る装置リールを備えたテープドライブであって、前記テープリールをテープ送出方向又はテープ巻取方向に回転駆動させるテープリール駆動装置と、前記装置リールをテープ送出方向又はテープ巻取方向に回転駆動させる装置リール駆動装置と、前記テープリール駆動装置及び前記装置リール駆動装置の動作を制御する制御部と、前記テープリールの近傍で、前記テープの幅方向の変動を測定するセンサと、前記センサの測定結果が所定値を超えているかどうかを判断し、前記測定結果が前記所定値を超えていると判断した場合に、前記制御部に対して、前記テープの巻き取りを中止して、前記テープを送出方向に所定距離送り出した後、前記テープを前記テープリールに再び巻き取るように命令する判断部とを備えたことを特徴とする。
【００１０】
請求項３に記載のテープドライブによれば、テープドライブからテープカートリッジを排出する際のテープのテープリールへの巻き取りにおいて、テープの幅方向の変動を測定し、この測定結果が所定値を超えている場合には、テープの巻き取りを中止し、テープを送出方向に所定距離送り出し、再びテープリールに巻き取ることによりテープの巻き乱れを防止することができる。
【００１１】
【発明の実施の形態】
以下、図面を参照して、本発明に係るテープの巻取方法及びテープドライブの実施の形態について説明する。なお、本実施の形態では、テープドライブとして、磁気テープドライブを想定している。
【００１２】
本実施の形態に係るテープドライブについて説明する。図１は、単リール型磁気テープドライブの概略構成図である。図１に示すように、単リール型磁気テープドライブ１には、単リール型磁気テープカートリッジ１０が挿入されている。この単リール型磁気テープカートリッジ１０は、磁気テープ１２を巻き取ったテープリール１１を備えている。テープリール１１は、順方向（Ａ方向）に回転することにより、装置リール９に磁気テープ１２を送出し、逆方向（Ｂ方向）に回転することにより、装置リール９から送出される磁気テープ１２を巻き取る。
【００１３】
単リール型磁気テープドライブ１は、テープリール駆動装置２、装置リール駆動装置３、制御部４、判断部５、センサ６、装置リール９、磁気テープ１２に対して磁気記録再生を行う磁気ヘッド７と磁気テープ１２を案内する複数のガイド８，８からなる。装置リール９は、順方向（Ａ方向）に回転することにより、テープリール１１から送出される磁気テープ１２を巻き取り、逆方向（Ｂ方向）に回転することにより、磁気テープ１２をテープリール１１に送出する。
【００１４】
テープリール駆動装置２は、制御部４からの命令に基づき、テープリール１１を順方向に回転させ、また、逆方向に回転させ、さらに回転しているテープリール１１を停止させる。装置リール駆動装置３は、制御部４からの命令に基づき、装置リール９を順方向に回転させ、また、逆方向に回転させ、さらに回転している装置リール９を停止させる。
【００１５】
センサ６は、テープリール１１の近傍に配置され、連続的に磁気テープ１２の幅方向のエッジの位置を測定し、判断部５にこの幅方向のエッジの位置を出力する。センサ６は、磁気テープの幅方向のエッジの位置を測定できるものであればよく、例えば、ＬＥＤ遮光型センサが挙げられる。
【００１６】
判断部５は、センサ６が測定した磁気テープ１２のエッジの位置に基づき、過去の一定時間内における磁気テープ１２の幅方向の変動量を求め、所定値以内であるかどうかを判断する。そして、所定値を超えていると判断した場合には、制御部４に対して、テープリール１１と装置リール９の逆方向の回転を中止して、所定時間テープリール１１と装置リール９を順方向に回転させ、その後、逆方向に回転させる命令を出力する。なお、所定値は、磁気テープの幅方向の変動量と磁気テープの巻き姿との関係により決まり、例えば、振幅０．５ｍｍが挙げられる。また、判断する値は、磁気テープ１２の幅方向の変動量ではなく、位置の変化率であってもよい。このように特許請求の範囲にいう磁気テープの変動は、所定時間内の変動量や、位置の変化率を含む。
【００１７】
制御部４は、判断部５からの命令に基づき、テープリール駆動装置２と装置リール駆動装置３を駆動させることにより、テープリール１１と装置リール９を回転させ、または、テープリール駆動装置２と装置リール駆動装置３を停止させることにより、テープリール１１と装置リール９の回転を中止させる。
【００１８】
次に、図１に示したテープドライブ１を用いて行うテープ巻取方法について、図２のフローチャートを参照して説明する。図２は、テープの巻き取りの動作を説明するためのフローチャートである。
【００１９】
図２に示すように、まず、ステップＳ１では、テープリール１１と装置リール９が逆方向に回転することにより、装置リール９から送出され、テープリール１１に巻き取られている磁気テープ１２の幅方向のエッジの位置を、センサ６で、継続的に測定して、このエッジの位置を判断部５に出力する。
【００２０】
続いて、ステップＳ２では、判断部５でセンサ６から出力されたエッジの位置に基づき、過去の一定時間内における磁気テープ１２の幅方向の変動量を求め、所定値以内であるかどうかを判断する。ステップＳ２で、前記変動量が所定値を超えていると判断された場合（Ｎｏ）は、ステップＳ３に進む。また、ステップＳ２で、前記変動量が所定値以内であると判断された場合（Ｙｅｓ）は、磁気テープ１２のテープリール１１への巻き取りが継続され、全ての磁気テープ１２がテープリール１１に巻き取られると処理が終了する。
【００２１】
ステップＳ３では、判断部５が、制御部４に対して、テープリール駆動装置２と装置リール駆動装置３の駆動を停止させる命令を出力する。この命令を受けた制御部４は、テープリール駆動装置２を停止させてテープリール１１の回転を中止させ、装置リール駆動装置３を停止させて装置リール９の回転を中止させる。
【００２２】
続く、ステップＳ４では、判断部５が、制御部４に対して、テープリール駆動装置２を駆動させてテープリール１１を順方向に回転させ、装置リール駆動装置３を駆動させて装置リール９を順方向に回転させる命令を出力する。この命令を受けた制御部４では、所定時間テープリール１１と装置リール９を順方向に回転させることにより、テープリール１１から所定距離磁気テープ１２が送出されると、制御部４は、テープリール駆動装置２と装置リール駆動装置３を停止させ、テープリール１１と装置リール９の回転を停止させる。
ここで、所定距離とは、磁気テープ１２の一部（例えば、磁気テープ１２の巻き乱れが発生している部分）でもよいが、磁気テープ１２の全長を巻きなおした方が、テープ停止時の乱れが生じないので望ましい。
【００２３】
そして、ステップＳ５では、判断部５が、制御部４に対して、テープリール駆動装置２を駆動させてテープリール１１を逆方向に回転させ、装置リール駆動装置３を駆動させて装置リール９を逆方向に回転させる命令を出力する。この命令を受けた制御部４は、テープリール駆動装置２を駆動させてテープリール１１を逆方向に回転させ、装置リール駆動装置３を駆動させて装置リール９を逆方向に回転させて、再度、磁気テープ１２をテープリール１１に巻き取り、ステップＳ１に戻る。なお、このテープの巻取速度をテープ巻き取り中止前より遅くすれば、磁気テープ１２に随件する空気の排出が良好になるので、巻き乱れが生じにくくなる。
【００２４】
以上のように、テープリールに巻き取られている磁気テープの幅方向の振幅を測定し、測定結果が所定値を超えている場合には、磁気テープの巻き乱れが発生しているものとして、磁気テープをテープリールに巻き直すことにより、磁気テープの巻き乱れを防止することができる。
また、磁気テープの巻取速度を遅くすれば、磁気テープの巻き乱れが発生する可能性が低くなることから、テープの巻取速度をテープ巻き取り中止前より遅くすることにより、効率的に巻き乱れを防止することができる。
【００２５】
なお、本実施の形態においては、テープとして、磁気テープを、テープカートリッジとして単リール型磁気テープカートリッジを、テープドライブとして、単リール型磁気テープドライブを例に挙げて説明したが、テープ、テープカートリッジ、テープドライブはこれらに限定されるものではなく、例えば、テープカートリッジとして２リール型テープカートリッジであってもよく、テープドライブとして２リール型テープドライブであってもよい。
【００２６】
【発明の効果】
以上説明したように、本発明に係るテープの巻取方法及びテープドライブは、テープの巻き乱れを防止することができる。
また、テープの巻取速度をテープ巻き取り中止前の速度より遅くすることにより、より効率良く、テープの巻き乱れを防止することができる。
【図面の簡単な説明】
【図１】単リール型磁気テープドライブの概略構成図である。
【図２】テープの巻き取りの動作を説明するためのフローチャートである。
【符号の説明】
１    単リール型磁気テープドライブ
２    テープリール駆動装置
３    装置リール駆動装置
４    制御部
５    判断部
６    センサ
９    装置リール
１０  磁気テープカートリッジ
１１  テープリール
１２  磁気テープ
Ａ    順方向
Ｂ    逆方向
【図１】
2004342178.tif 000003
【図２】
2004342178.tif 000004